(57)【要約】【課題】  筆記具等の円筒形状の部品の表面に転写フィルムを巻きつけて加飾する場合に、該フィルムの始端と終端が重なった状態になる。着色層の重なりが大きい場合はその部分が濃色化するため見栄えが悪くなる。着色層が重ならず、離隔してしまうと白色或いは金属光沢色の隠蔽層が視認されたり、被加飾部品の表面が露出する等の不具合が発生する。前記不具合を発生させず、該フィルムの両端の重なりに大小のばらつきがあっても、外観の印刷不良が目立つことのない転写フィルムを提供する。【解決手段】  基体シート６上に剥離層５、着色層４、隠蔽層３、接着層２を順次積層した構成の転写フィルム１。前記隠蔽層３が前記着色層４と同色或いは近似色の着色剤により着色されている。前記着色層４の両端に先端部に向かうに従い淡色となるグラデーション印刷部を設ける。前記転写フィルム１で加飾された筆記具用部品。【選択図】  図１
2014054728.tif 000002
【特許請求の範囲】
【請求項１】
円筒形状の部品に加飾を施すための転写フィルムであって、前記転写フィルムが、基体シート上に剥離層、着色層、隠蔽層、接着層を順次積層した構成であって、前記隠蔽層中に前記着色層と同一或いは同系色の着色剤が添加されていることを特徴とする転写フィルム。
【請求項２】
前記着色層の両端に端部に向かうに従い淡色となるグラデーション印刷部を設けたことを特徴とする請求項１に記載の転写フィルム。
【請求項３】
前記隠蔽層の両端に端部に向かうに従い淡色となるグラデーション印刷部を設けたことを特徴とする請求項１又は２に記載の転写フィルム。
【請求項４】
請求項１乃至３に記載の転写フィルムで加飾されたことを特徴とする筆記具用部品。
【発明の詳細な説明】
【技術分野】
【０００１】
本発明は、転写フィルムに関する。詳細には円筒形状の部品に転写される転写フィルムであって、その転写フィルムが基体シートと、剥離層と、着色層と、隠蔽層と接着層とからなる転写フィルムに関する。
【背景技術】
【０００２】
円筒形状の部品に適用する転写フィルムの一例として、接着層と白色隠蔽層と絵柄層と剥離層とからなると共に、前記白色隠蔽層の大きさを絵柄層の大きさよりも小さくした転写フィルムが知られている。
【先行技術文献】
【特許文献】
【０００３】
【特許文献１】特開２０１１−２５１４１３号公報
【発明の概要】
【発明が解決しようとする課題】
【０００４】
円筒形状の部品にこの種の転写フィルムで加飾をする工程は、前記転写フィルムを前記円筒形状の部品表面に接触させ、加熱圧着しながら前記円筒形状部品を回転させる。
この時、該転写フィルムの始端の上に終端が重なって印刷工程が終了する。
前記従来の転写フィルムにおいては、絵柄の両端が突き当たる位置でフィルム端部が重なるとよいが、印刷工程におけるフィルムの引っ張り強度、作業時の温度、湿度等の影響により、重なり幅に大小が発生することは避けられない。
ここで重なり幅が大きいときはその部分は濃色となる。また、重なり幅が小さいときは淡色となる、或いは被転写物の表面が視認される等の外観上の不具合が発生してしまう。
【課題を解決するための手段】
【０００５】
本発明は転写工程において転写フィルム両端部の重なり幅に大小があったとしても、上記のような外観上の不具合が発生することのない転写フィルムと、該転写フィルムで加飾された筆記具用部品を提供しようとするものである。
【０００６】
本発明は円筒形状の部品に加飾を施すための転写フィルムであって、前記転写フィルムが、基体シート上に剥離層、着色層、隠蔽層、接着層を順次積層した構成であって、前記隠蔽層中に前記着色層と同一或いは同系色の着色剤が添加されていることを要件とする。また前記着色層の両端に、端部に向かうに従って淡色となるグラデーション印刷部を設けたこと、前記隠蔽層の両端に、端部に向かうに従って淡色となるグラデーション印刷部を設けたこと、更には上述した転写フィルムで加飾された筆記具の軸筒、キャップ、尾栓、頭冠等の筆記具用部品をも要件とする。
【発明の効果】
【０００７】
本発明の転写フィルムは、転写フィルム端部の重なり幅が大きい場合においても小さい場合においても、転写フィルムの重なり部分が目立つことがなく、外観上の不具合が発生することがない。
【図面の簡単な説明】
【０００８】
【図１】本発明の転写フィルムの断面図である。
【図２】本発明の転写フィルムで加飾印刷したフィルム端部の重なりを示す断面図であり、着色層４の端部同士が突き当たった状態を示す。
【図３】本発明の転写フィルムで加飾印刷したフィルム端部の重なりを示す断面図であり、着色層４の端部が重なった状態を示す。
【図４】本発明の転写フィルムで加飾印刷したフィルム端部の重なりを示す断面図であり、着色層４の端部が離隔した状態を示す。
【発明を実施するための形態】
【０００９】
本発明の実施の形態を図１乃至図４に示す。
前記転写フィルム１を構成する其々の層の大きさを比較してみると、着色層４と隠蔽層３は略同一の大きさであり、接着層２は前記着色層４及び隠蔽層３より大きく設定されている。ここで、転写フィルム１の製造時において前記着色層４と前記隠蔽層３は位置ずれがないように積層されるが、０．３ｍｍ前後の印刷ずれは発生してしまう。図１〜図４は前記印刷ずれを伴う転写フィルム１の単体図及び加工図である。
【００１０】
前記転写フィルム１の基体シート６の材質としては、ポリプロピレン系樹脂、ポリエチレン系樹脂、ポリアミド系樹脂、ポリエステル系樹脂、ポリアクリル系樹脂、ポリ塩化ビニル系樹脂などの樹脂シート、アルミニウム箔、銅箔などの金属箔、グラシン紙、コート紙、セロハンなどのセルロース系シート、あるいは上記の各シートを積層したものなど、通常の転写材の基体シートとして用いるものを使用することができる。
【００１１】
剥離層５は、前記基体シート６上に全面的または部分的に形成される。前記剥離層５は、転写後、基体シート６から剥離する層である。剥離層５の材質としては、ポリアクリル系樹脂、ポリエステル系樹脂、ポリ塩化ビニル系樹脂、セルロース系樹脂、ゴム系樹脂、ポリウレタン系樹脂、ポリ酢酸ビニル系樹脂などのほか、塩化ビニル−酢酸ビニル共重合体系樹脂、エチレン−酢酸ビニル共重合体系樹脂などのコポリマーを用いるとよい。
【００１２】
着色層４は、前記剥離層５の上に形成される。前記着色層４は、塩化ビニル酢酸ビニル共重合体樹脂、熱可塑ウレタン系樹脂、メタアクリル系樹脂、アクリル酸エステル系樹脂、塩化ゴム系樹脂、塩化ポリエチレン系樹脂、塩素化ポリプロピレン系樹脂、ポリビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、セルロースエステル系樹脂、アルキド樹脂などの樹脂をバインダーとし、適切な色の顔料または染料を着色剤として含有する着色インキを用いる。
【００１３】
前記着色層４の上には隠蔽層３が積層される。隠蔽層３は前記着色層４と同様に、塩化ビニル酢酸ビニル共重合体樹脂、熱可塑ウレタン系樹脂、メタアクリル系樹脂、アクリル酸エステル系樹脂、塩化ゴム系樹脂、塩化ポリエチレン系樹脂、塩素化ポリプロピレン系樹脂、ポリビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、セルロースエステル系樹脂、アルキド樹脂などをバインダー樹脂とし、隠蔽性顔料として例えば金属粉顔料、酸化チタン、亜鉛華、硅酸アルミ、炭酸カルシウム等を分散させる。
【００１４】
前記隠蔽層３の上面には、接着層２が形成される。
前記接着層２としては、被転写部品７の素材表面に適した感熱性あるいは感圧性の樹脂が用いられる。たとえば被転写部品７がポリスチレンの場合はアクリル系樹脂や塩化ビニル酢酸ビニル系樹脂を、ポリプロピレンの場合は塩素化ポリプロピレン系樹脂やエチレン酢酸ビニル系樹脂などを用いるとよい。
【００１５】
本発明の転写フィルム１は前記構成の積層フィルムにおいて、隠蔽層３中には着色層４に配合された着色剤と同一の着色剤或いは同系色の着色剤が添加される。更に、前記隠蔽層３及び前記着色層４は両端に、端部に向かうに従い淡色となるグラデーション印刷部が設けられる。
【００１６】
ここで図２〜４に基づいて、前記転写フィルム１端部の重なり状態と、外観の関係を説明する。
尚、基体シート６は転写工程において剥離するため外観には影響がない、また、剥離層５と接着層２は無色透明であり、隠蔽層３は着色不透明、着色層４は着色不透明或いは着色半透明である。
【００１７】
図２は着色層４の両端部が突き当たった状態にある。
この場合においては着色層４の重なり或いは離隔はなく、隠蔽層３が非常にわずかの幅で着色層３に重なっているが、隠蔽層３が着色層４と同一或いは同系色に着色されているために、外観上著しい不具合は確認できない。
【００１８】
図３は着色層４の両端部が重なった状態にある。
この場合においては前記着色層４の両端部に設けられたグラデーション印刷部が重なることになるために、重複部分の濃色化は緩和され、外観上の不具合が目立つ程度になることはない。
【００１９】
図４は着色層４の両端部が離隔した状態にある。
この場合は隠蔽層３が視認されるが、前記隠蔽層３が前記着色層４と同一色或いは同系色に着色されているために、外観において顕著な不具合になることはない。
【符号の説明】
【００２０】
１  転写フィルム
２  接着層
３  隠蔽層
４  着色層
５  剥離層
６  基体シート
７  被転写部品
【図１】
2014054728.tif 000003
【図２】
2014054728.tif 000004
【図３】
2014054728.tif 000005
【図４】
2014054728.tif 000006